(57)【要約】【課題】発光装置の表面と化粧板の表面との段差を抑制する。【解決手段】発光装置は、面状の発光素子２０と、板状部材（例えば化粧板３０）と、透光板４０と、を備える。発光素子２０の一方の面は、発光領域２１ａを有する発光面２１とされている。板状部材は発光面２１側に配置されている。板状部材には、発光領域２１ａの少なくとも一部の領域と対応する開口部３１が形成されている。透光板４０は、開口部３１に填め込まれている。【選択図】図１
2015022872.tif 000002
【特許請求の範囲】
【請求項１】
一方の面が、発光領域を有する発光面とされた、面状の発光素子と、
前記発光面側に配置され、且つ、前記発光領域の少なくとも一部の領域と対応する開口部が形成された板状部材と、
前記開口部に填め込まれた透光板と、
を備える発光装置。
【請求項２】
前記透光板における前記発光素子側とは反対側の面が、前記板状部材の一方の面に対して略面一である請求項１に記載の発光装置。
【請求項３】
前記透光板の厚さは、前記板状部材の厚さと略同一である請求項１又は２に記載の発光装置。
【請求項４】
前記透光板は、前記発光面に接している請求項１〜３の何れか一項に記載の発光装置。
【請求項５】
前記板状部材は化粧板である請求項１〜４の何れか一項に記載の発光装置。
【発明の詳細な説明】
【技術分野】
【０００１】
本発明は、発光装置に関する。
【背景技術】
【０００２】
有機ＥＬ（Ｅｌｅｃｔｒｏ  Ｌｕｍｉｎｅｓｃｅｎｃｅ）発光素子などの面状の発光素子は、壁や天井などに固定される場合がある。
【０００３】
特許文献１には、壁に凹部を形成し、保護シートが貼り付けられた有機ＥＬ発光素子を凹部に配置し、有機ＥＬ発光素子及び壁面に化粧板を貼り付け、化粧板とともに保護シートを切り欠くことにより有機ＥＬ発光素子の発光面を露出させる技術が記載されている。
【先行技術文献】
【特許文献】
【０００４】
【特許文献１】特開２００８−１１７６４２号公報
【発明の概要】
【発明が解決しようとする課題】
【０００５】
特許文献１の技術では、化粧板の表面と有機ＥＬ発光素子の発光面との間に、化粧板の厚みに相当する段差が生じてしまう。
【０００６】
本発明が解決しようとする課題としては、発光装置の表面と化粧板の表面との段差を抑制することが一例として挙げられる。
【課題を解決するための手段】
【０００７】
請求項１に記載の発明は、
一方の面が、発光領域を有する発光面とされた、面状の発光素子と、
前記発光面側に配置され、且つ、前記発光領域の少なくとも一部の領域と対応する開口部が形成された板状部材と、
前記開口部に填め込まれた透光板と、
を備える発光装置である。
【図面の簡単な説明】
【０００８】
【図１】実施形態に係る発光装置の斜視図である。
【図２】図２（ａ）は発光素子の上に透光板を配置した状態を示す斜視図、図２（ｂ）は実施形態に係る発光装置の分解斜視図、図２（ｃ）は発光素子の上に透光板を配置した状態を示す側面図である。
【図３】実施例１に係る発光装置の斜視図である。
【図４】図４（ａ）は発光素子の上に透光板を配置した状態を示す斜視図、図４（ｂ）は実施例１に係る発光装置の分解斜視図、図４（ｃ）は発光素子の上に透光板を配置した状態を示す側面図である。
【図５】図５（ａ）は実施例１に係る発光装置の発光素子の層構造の一例を示す断面図であり、図５（ｂ）は実施例１に係る発光装置の発光素子の層構造の他の一例を示す断面図である。
【図６】発光素子の有機機能層の層構造の第１例を示す断面図である。
【図７】発光素子の有機機能層の層構造の第２例を示す断面図である。
【図８】実施例２に係る発光装置の斜視図である。
【図９】実施例３に係る発光装置の斜視図である。
【図１０】図１０（ａ）は実施例４に係る発光装置から板状部材（化粧板）を取り外した状態を示す斜視図、図１０（ｂ）は実施例４に係る発光装置の板状部材（化粧板）、透光板および拡散シートを示す斜視図である。
【図１１】実施例５に係る発光装置の側断面図である。
【発明を実施するための形態】
【０００９】
以下、実施の形態について、図面を用いて説明する。尚、すべての図面において、同様の構成要素には同一の符号を付し、適宜説明を省略する。
【００１０】
図１は実施形態に係る発光装置の斜視図である。図２（ａ）は発光素子２０の上に透光板４０を配置した状態を示す斜視図である。図２（ｂ）は実施形態に係る発光装置の分解斜視図であり、発光素子２０の上に透光板４０を配置したものの上方に化粧板３０を配置した状態を示す。図２（ｃ）は発光素子２０の上に透光板４０を配置した状態を示す側面図である。本実施形態に係る発光装置は、例えばディスプレイ、照明装置、又は光通信装置の光源として用いることができる。
【００１１】
本実施形態に係る発光装置は、面状の発光素子２０と、板状部材（例えば化粧板３０）と、透光板４０と、を備える。発光素子２０の一方の面は、発光領域２１ａを有する発光面２１とされている。板状部材は発光面２１側に配置されている。板状部材には、発光領域２１ａの少なくとも一部の領域と対応する開口部３１が形成されている。透光板４０は、開口部３１に填め込まれている。板状部材としては、例えば公衆トイレの仕切り壁のような事前に設置されてある板状のものを用いてもよい。この場合は仕切り壁が発光装置の構成要件の一部であると解釈する。また、一つの板状部材に複数の開口部３１が形成され、それぞれの開口部３１に対応して発光素子２０と透光板４０とが配置されていても良い。
【００１２】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００１３】
発光素子２０は、面状の発光素子であれば、どのような発光方式のものであっても良い。発光素子２０は、例えば、有機ＥＬ素子、無機ＥＬ素子とすることができる。或いは、発光素子２０は、例えば、ＬＥＤ（Ｌｉｇｈｔ  Ｅｍｉｔｔｉｎｇ  Ｄｉｏｄｅ）と導光板とを組み合わせることにより面状の構造とされたものであっても良いし、複数のＬＥＤをアレイ状に配列することにより面状の構造とされたものであっても良い。
【００１４】
発光素子２０の一方の面は発光面２１である。発光面２１の少なくとも一部分は、光を放射する発光領域２１ａとなっている。例えば、図２（ａ）に示すように、発光面２１の周縁部を除く領域が発光領域２１ａとなっており、発光面２１の周縁部は発光しない非発光領域２１ｂとなっている。
【００１５】
透光板４０は、透光性の板状の部材である。透光板４０の面積は、発光領域２１ａの面積以下である。例えば、透光板４０の面積は、発光領域２１ａの面積よりも小さい。図２（ａ）に示すように、透光板４０は発光領域２１ａに重ねて配置される。より具体的には、透光板４０は、発光面２１の発光領域２１ａに接するように配置される。
透光板４０が発光領域２１ａ内に確実に収まるよう、発光素子２０と板状部材（例えば化粧板３０）との取り付けよりも前に、透光板４０と発光素子２０とが接着固定されているほうが望ましい。
透光板４０と発光素子２０とが事前に接着固定されていれば、発光素子２０と板状部材との取り付け時には、発光素子２０の位置あわせの必要がなくなる。また、発光素子２０と板状部材との取り付け後、透光板４０が板状部材の開口部３１から抜け落ちることもなくなる。板状部材の開口部３１と透光板４０との嵌め合わせで自動的に位置あわせが完了するため、建築現場での施工がより容易になる。
【００１６】
化粧板３０は、遮光性の板状の部材である。化粧板３０の材質は特に限定されない。化粧板３０は、例えば、木材の板により構成することができる。化粧板３０は、発光素子２０の発光面２１側に位置するように、発光素子２０と重ねて配置されている。化粧板３０には、その表裏を貫通する開口部３１が形成されている。開口部３１は、発光領域２１ａの少なくとも一部分と対応する領域に形成されている。例えば、化粧板３０の少なくとも一方の面３２には、塗装が施されている。開口部３１の内周面にも塗装が施されていても良い。
【００１７】
開口部３１の形状は、透光板４０の形状と対応しており、開口部３１内に透光板４０が嵌め込まれている。透光板４０の厚さＴ１（図２（ｃ））は、化粧板３０の厚さＴ２（図２（ｂ））と略同一であり、透光板４０における発光素子２０側とは反対側の面４１が、化粧板３０の一方の面３２に対して略面一となっている。
【００１８】
本実施形態に係る発光装置は、天井、壁、床等の設置対象構造物に設置される。
【００１９】
以上、本実施形態によれば、発光装置は、面状の発光素子２０と、板状部材（例えば化粧板３０）と、透光板４０と、を備える。発光素子２０の一方の面は、発光領域２１ａを有する発光面２１とされている。板状部材は発光面２１側に配置されている。板状部材には、発光領域２１ａの少なくとも一部の領域と対応する開口部３１が形成されている。透光板４０は、開口部３１に填め込まれている。
よって、発光素子２０からの発光は、開口部３１の全面から放射される。また、開口部３１は、発光素子２０の非発光領域２１ｂには重なっていないので、非発光領域２１ｂは開口部３１を通して視認されない。よって、発光装置の見栄えを良好なものとすることができる。
そして、開口部３１には透光板４０が填め込まれているので、板状部材の一方の面３２と発光装置の表面との段差が抑制される。これにより、発光装置のデザイン性が向上する。
なお、開口部３１および透光板４０の形状は任意に定めることができ、発光装置から光が放射される領域の形状は、開口部３１および透光板４０の形状により定めることができる。よって、発光装置から光が放射される領域の形状のデザインの自由度が高い。
【００２０】
透光板４０における発光素子２０側とは反対側の面４１を、化粧板３０の一方の面３２に対して略面一とすることにより、発光装置のデザイン性が更に向上する。
【００２１】
透光板４０の厚さＴ１を、化粧板３０の厚さＴ２と略同一とすることにより、容易に、透光板４０における発光素子２０側とは反対側の面４１を化粧板３０の一方の面３２に対して略面一とすることができる。
【００２２】
また、透光板４０が発光面２１に接していることにより、発光面２１と透光板４０との間に屈折率の低い空気層を挟まないようにできるため、発光装置の光出力効率の低下を抑制することができる。
【００２３】
また、板状部材を化粧板３０とすることにより、発光装置のデザイン性が向上する。
【実施例】
【００２４】
（実施例１）
図３は実施例１に係る発光装置の斜視図である。図４（ａ）は発光素子２０の上に透光板４０を配置した状態を示す斜視図である。図４（ｂ）は実施形態に係る発光装置の分解斜視図であり、発光素子２０の上に透光板４０を配置したものの上方に化粧板３０を配置した状態を示す。図４（ｃ）は発光素子２０の上に透光板４０を配置した状態を示す側面図である。本実施例に係る発光装置は、以下に説明する点で、上記の実施形態に係る発光装置と相違し、その他の点では、上記の実施形態に係る発光装置と同様に構成されている。
【００２５】
本実施例の場合、発光装置は、発光素子２０を化粧板３０に固定するための固定板５０を有する。発光素子２０は、固定板５０を介して化粧板３０に固定される。例えば、固定板５０の面積は、発光素子２０の面積よりも大きく、発光素子２０は固定板５０の一方の面の中央部に固定される。
【００２６】
更に、本実施例に係る発光装置は、固定用台６０を有する。固定用台６０は、発光素子２０と同等の厚み（図４（ｃ）に示す厚みＴ３）を有する板状の部材であり、発光素子２０の周囲において、固定板５０と化粧板３０との間に介装されている。このような固定用台６０が設けられていることにより、化粧板３０から発光素子２０側に加わる荷重の一部分を固定用台６０が受けるので、発光素子２０に加わる圧力を抑制することができる。なお、固定用台６０は、発光素子２０の側面に接していても良いし、図４（ａ）〜（ｃ）に示すように発光素子２０の側面から離間して配置されていても良い。化粧板３０は壁や天井部材である場合も多く、巨大で動かしにくい場合が多い。したがって固定用台６０は化粧板３０よりも取り回しの容易な固定板５０に対して事前に接着固定されているほうが良い。
【００２７】
固定板５０は固定用台６０を介して化粧板３０に固定される。固定板５０を化粧板３０に固定する方法は限定されない。例えば、図３に示すように、木ねじ６５等の止着部材を、固定板５０および固定用台６０を通して化粧板３０に止着することによって、固定板５０を化粧板３０に固定することができる。
【００２８】
図５（ａ）は実施例１に係る発光装置の発光素子２０の層構造の一例を示す断面図であり、図５（ｂ）は実施例１に係る発光装置の発光素子２０の層構造の他の一例を示す断面図である。これらは、発光素子２０が有機ＥＬ素子である場合の構成例を示している。
【００２９】
発光素子２０は、例えば、透光性の基材１１０と、透光性の第１電極１３０と、有機機能層１４０と、第２電極１５０と、封止部材１６０と、を有する。第１電極１３０は、基材１１０の一方の面側（図５（ａ）、（ｂ）において下側）に配置されている。有機機能層１４０は、第１電極１３０を基準として基材１１０とは反対側（図５（ａ）、（ｂ）において下側）に配置されている。第２電極１５０は、有機機能層１４０を基準として第１電極１３０とは反対側（図５（ａ）、（ｂ）において下側）に配置されている。なお、基材１１０と第１電極１３０とは相互に接していても良いし、それらの間に他の透光性の層が存在していても良い。第２電極１５０の下面側には封止部材１６０が設けられている。
【００３０】
基材１１０は、ガラスや樹脂などの透光性を有する材料からなる板状部材である。例えば、図５（ａ）に示すように、基材１１０の上面は、発光面２１を構成している。ただし、図５（ｂ）に示すように、基材１１０の上面には光取り出しフィルム等の光学フィルム１７０が貼り付けられ、該光学フィルム１７０の上面が発光面２１を構成していても良い。
【００３１】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されており、単層構造でも積層構造でも良い。第２電極１５０は、例えば、ＡｌやＡｇなどの金属膜からなる反射電極である。第２電極１５０は、有機機能層１４０から第２電極１５０側に向かう光を、基材１１０側に向けて反射する。
【００３２】
第１電極１３０と第２電極１５０との間に電圧が印加されることにより、有機機能層１４０の発光層が発光する。有機機能層１４０、第１電極１３０および基材１１０は、いずれも、有機機能層１４０の発光層が発光した光の少なくとも一部を透過する。発光層が発光した光の一部は、発光面２１から、発光装置の外部に放射される（取り出される）。
【００３３】
以下、有機機能層１４０の層構造の具体的な例を説明する。
【００３４】
図６は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００３５】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００３６】
なお、発光層１４３は、複数の色を発光するための材料を混ぜることにより、白色等の単一の発光色で発光するように構成されていても良い。
【００３７】
図７は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００３８】
なお、発光装置は、発光素子２０を発光させる制御を行う電子回路を含んで構成されていても良いし、電子回路は、発光装置とは別体となっていても良い。
【００３９】
本実施例によっても、上記の実施形態と同様の効果が得られる。
【００４０】
（実施例２）
図８は実施例２に係る発光装置の斜視図である。本実施例に係る発光装置は、以下に説明する点で、上記の実施例１に係る発光装置と相違し、その他の点では、上記の実施例１に係る発光装置と同様に構成されている。
【００４１】
上記の実施形態及び実施例１では、開口部３１および透光板４０の形状を矩形状にした例を示したが、本実施例では、例えば、図８に示すような星形とした例を示している。また、図示はしないが、開口部３１および透光板４０の形状は、その他の任意の形状とすることができる。
【００４２】
本実施例によっても、上記の実施例１と同様の効果が得られる。
【００４３】
（実施例３）
図９は実施例３に係る発光装置の斜視図である。本実施例に係る発光装置は、以下に説明する点で、上記の実施例１に係る発光装置と相違し、その他の点では、上記の実施例１に係る発光装置と同様に構成されている。
【００４４】
本実施例の場合、透光板４０の側面４２には、光を反射する処理（以下、光反射処理）が施されている。例えば、透光板４０の側面４２に、光反射テープを貼り付けたり、反射材を塗布（スプレーによる塗布など）することなどにより、透光板４０の側面４２に光反射処理が施されている。このため、透光板４０の側面４２が発光するように見える。透光板４０の側面４２は、化粧板３０の開口部３１の内周面に接しているため、化粧板３０の開口部３１の内周面が光っているように見える。
【００４５】
本実施例によれば、上記の実施例１と同様の効果が得られる他、透光板４０の側面４２には光反射処理が施されているので、透光板４０の側面４２（化粧板３０の開口部３１の内周面）も光っているように見えるようにすることができる。これにより、化粧板３０の開口部３１の内周面を見えにくくすることができる。
【００４６】
（実施例４）
図１０（ａ）は実施例４に係る発光装置から化粧板３０を取り外した状態を示す斜視図、図１０（ｂ）は実施例４に係る発光装置の化粧板３０、透光板４０および拡散シート７０を示す斜視図である。本実施例に係る発光装置は、以下に説明する点で、上記の実施例１に係る発光装置と相違し、その他の点では、上記の実施例１に係る発光装置と同様に構成されている。
【００４７】
本実施例の場合、透光板４０における発光素子２０側とは反対側の面（図４（ａ）に示す面４１）には、拡散シート７０が貼り付けられている。拡散シート７０は、発光素子２０からの発光を拡散する機能を有する。本実施例の場合、拡散シート７０の表面と化粧板３０の一方の面３２とが面一となっていることが好ましい。
【００４８】
本実施例によれば、上記の実施例１と同様の効果が得られる他、透光板４０における発光素子２０側とは反対側の面には拡散シート７０が貼り付けられているので、拡散シート７０よりも奥側（透光板４０側）を視認し難いようになる。よって、あたかも化粧板３０の表面の一部分（拡散シート７０が配置されている部分）が発光しているかのように見えるようにすることができる。
【００４９】
（実施例５）
実施例５に係る発光装置の側断面図である。本実施例に係る発光装置は、以下に説明する点で、上記の実施例１に係る発光装置と相違し、その他の点では、上記の実施例１に係る発光装置と同様に構成されている。
【００５０】
本実施例の場合、発光装置は、透光板４０の側面４２と化粧板３０の開口部３１の内周面とを相互に係合させる係合構造を有している。この係合構造は、例えば、透光板４０の側面４２に形成された係合突起４４と、化粧板３０の開口部３１の内周面に形成された係合凹部３４と、を有する。開口部３１内に透光板４０を填め込んで、係合突起４４を係合凹部３４に対して係合させることにより、透光板４０の側面４２と化粧板３０の開口部３１の内周面とが相互に係合し、透光板４０が化粧板３０に対して固定される。
【００５１】
本実施例によれば、上記の実施例１と同様の効果が得られる。
【００５２】
以上、図面を参照して実施形態及び実施例について述べたが、これらは本発明の例示であり、上記以外の様々な構成を採用することもできる。
【符号の説明】
【００５３】
２０ 発光素子
２１ 発光面
２１ａ 発光領域
３０ 化粧板（板状部材）
３１ 開口部
４０ 透光板
【図１】
2015022872.tif 000003
【図２】
2015022872.tif 000004
【図３】
2015022872.tif 000005
【図４】
2015022872.tif 000006
【図５】
2015022872.tif 000007
【図６】
2015022872.tif 000008
【図７】
2015022872.tif 000009
【図８】
2015022872.tif 000010
【図９】
2015022872.tif 000011
【図１０】
2015022872.tif 000012
【図１１】
2015022872.tif 000013